(57)【要約】【課題】記録メディアへの情報（データ）の記録動作を終了させることなく、記録元メディア（記録媒体）の情報（データ）をユーザが自由に選択可能とする。【解決手段】記録媒体２に記録された情報を読み出す読出手段４と、読出手段４により読み出された情報が書き込まれる第１記録手段１２と、第１記録手段１２に書き込まれた情報を出力する出力手段１１，１３，１４と、読出手段４により読み出された情報が記録される第２記録手段１０とを備えている。制御手段１５は、第２記録手段１０への記録動作中に記録媒体２の全ての記録情報を対象として操作手段１６からの操作指令に応じた動作を行わせるとともに、前記記録動作を継続して実行させる。【選択図】      図１
2004199752.tif 000002
【特許請求の範囲】
【請求項１】
記録媒体に記録された情報を読み出す読出手段と、
前記読出手段により読み出された情報が書き込まれる第１記録手段と、
前記第１記録手段に書き込まれた情報を出力する出力手段と、
前記読出手段により読み出された情報が記録される第２記録手段と、
を備えた情報記録再生装置であって、
前記第２記録手段への記録動作中に前記記録媒体の全ての記録情報を対象として操作手段からの操作指令に応じた動作を行わせるとともに、前記記録動作を継続して行わせる制御手段を具備したことを特徴とする情報記録再生装置。
【請求項２】
記録媒体に記録された情報を読み出す読出手段と、
前記読出手段により読み出された情報が書き込まれる第１記録手段と、
前記第１記録手段に書き込まれた情報を出力する出力手段と、
前記読出手段により読み出された情報が記録される第２記録手段と、
を備えた情報記録再生装置であって、
前記第１記録手段の情報の蓄積量が所定値に達したときに前記第２記録手段への記録動作を開始させ、前記第２記録手段への記録動作中に前記記録媒体の全ての記録情報を対象として操作手段からの操作指令に応じた動作を行わせるとともに、前記操作指令が発せられた後も前記記録動作を継続して行わせる制御手段を具備したことを特徴とする情報記録再生装置。
【請求項３】
請求項１または２に記載の情報記録再生装置において、
前記読出手段は、前記出力手段が前記第１記録媒体に記録された情報を出力する速度より速い速度で前記記録媒体に記録された情報を読み出すことを特徴とする情報記録再生装置。
【請求項４】
請求項１または２に記載の情報記録再生装置において、
前記記録媒体に記録された情報は圧縮されたデータであり、前記読出手段は、前記出力手段が前記第１記録媒体に記録された圧縮データを出力する速度と同じ速度又はその速度より遅い速度にて前記記録媒体に記録された圧縮データを読み出すことを特徴とする情報記録再生装置。
【請求項５】
記録媒体に記録された情報を読み出して出力するとともに、前記読み出された情報を記録する情報記録再生方法であって、
前記記録媒体に記録された情報を読み出す工程と、
前記読み出された情報を第１記録手段に書き込む工程と、
前記書き込まれた情報を出力する工程と、
前記記録媒体から読み出された情報を第２記録手段に記録する工程と、
前記第２記録手段への記録動作中に前記記録媒体の全ての記録情報を対象として操作指令に応じた動作を行わせる工程と、
前記記録動作を継続して行わせる工程と、
を具備したことを特徴とする情報記録再生方法。
【請求項６】
記録媒体に記録された情報を読み出して出力するとともに、前記読み出された情報を記録する情報記録再生方法であって、
前記記録媒体に記録された情報を読み出す工程と、
前記読み出された情報を第１記録手段に書き込む工程と、
前記書き込まれた情報を出力する工程と、
前記第１記録手段への情報の蓄積量が所定値に達したか否かを判断する工程と、
前記第１記録手段の情報の蓄積量が所定値に達したときに第２記録手段への記録を開始させる工程と、
前記第２記録手段への記録動作中に前記記録媒体の全ての記録情報を対象として操作指令に応じた動作を行わせる工程と、
前記操作指令が発せられた後も前記記録動作を継続して行わせる工程と、
を具備したことを特徴とする情報記録再生方法。
【請求項７】
記録媒体に記録された情報の読み出し動作及びその読み出された情報の出力動作を制御するとともに、前記読み出された情報の記録動作を制御するコンピュータを、
前記記録媒体に記録された情報を読み出させ、
前記読み出された情報を第１記録手段に書き込ませ、
前記書き込まれた情報を出力させ、
前記記録媒体から読み出された情報を第２記録手段に記録させ、
前記第２記録手段への記録動作中に前記記録媒体の全ての記録情報を対象として操作指令に応じた動作を行わせ、
前記記録動作を継続して行わせるものとして機能させることを特徴とする情報記録再生用プログラム。
【請求項８】
記録媒体に記録された情報の読み出し動作及びその読み出された情報の出力動作を制御するとともに、前記読み出された情報の記録動作を制御するコンピュータを、
前記記録媒体に記録された情報を読み出させ、
前記読み出された情報を第１記録手段に書き込ませ、
前記書き込まれた情報を出力させ、
前記第１記録手段への情報の蓄積量が所定値に達したか否かを判断させ、
前記第１記録手段の情報の蓄積量が所定値に達したときに第２記録手段への記録を開始させ、
前記第２記録手段への記録動作中に前記記録媒体の全ての記録情報を対象として操作指令に応じた動作を行わせ、
前記操作指令が発せられた後も前記記録動作を継続して行わせるものとして機能させることを特徴とする情報記録再生用プログラム。
【請求項９】
請求項７または８に記載の情報記録再生用プログラムが記録されていることを特徴とする情報記録媒体。
【発明の詳細な説明】
【０００１】
【発明の属する技術分野】
本発明は、情報記録再生装置、情報記録再生方法、情報記録再生用プログラム及び情報記録媒体に関する。
【０００２】
【従来の技術】
ハードディスク（以下、ＨＤと称して説明する。）等の記録メディアを搭載した製品は、現在でも普及しており、今後も市場が拡大する傾向にある。つまり、ＨＤのような大容量の記録メディアを搭載した製品は、大規模な情報（データ）ライブラリを形成することができるため、情報記録再生装置の分野においては画期的なものと考えられる。
【０００３】
ところで、従来の情報記録再生装置では、記録元メディア（記録媒体）からのデータを再生（音声出力）しながらＨＤ等の記録メディアに記録している。例えば、記録元メディアであるＣＤ(Compact Disc)の音声データを再生するプレーヤ部と、このプレーヤ部により再生された音声データが記録されるＨＤと、そのＨＤに音声データを記録するハードディスクドライブ（以下、ＨＤＤと称して説明する。）からなるＨＤＤ搭載型ＣＤプレーヤがあり、このＨＤＤ搭載型ＣＤプレーヤでは、再生中の音声データをスピーカ等から音声出力させながら同時にＨＤに記録していく。
【０００４】
【発明が解決しようとする課題】
しかしながら、上述した従来の情報記録再生装置ではＨＤ等の記録メディアへの音声データ等のデータの記録動作中に、ユーザが再生したい、つまり音声出力させたい、と欲した記録元メディアのデータへサーチさせ、かつＨＤに記録元メディアにおけるサーチしたデータを最初から最後まで記録したい場合には、その記録動作を終了させてからサーチのための操作をしなければならない。その結果、記録メディアには中途半端にデータが記録された状態となる。その状態から記録メディアへの記録動作を再開させる場合には、中途半端に記録されたデータの消去や、記録動作再開のためのデータのつなぎ位置の設定操作等の煩雑な操作が必要になる。
【０００５】
本発明は、例えば、上記事情を考慮してなされたもので、その課題の一例としては、ＨＤ等の記録メディアへの情報（データ）の記録動作を終了させることなく、記録元メディア（記録媒体）の情報（データ）をユーザが自由に選択可能な情報記録再生装置、情報記録再生方法、情報記録用プログラム及び情報記録媒体を提供することにある。
【０００６】
【課題を解決するための手段】
上記課題を解決するため、請求項１に記載の情報記録再生装置の発明は、記録媒体に記録された情報を読み出す読出手段と、前記読出手段により読み出された情報が書き込まれる第１記録手段と、前記第１記録手段に書き込まれた情報を出力する出力手段と、前記読出手段により読み出された情報が記録される第２記録手段と、を備えた情報記録再生装置であって、前記第２記録手段への記録動作中に前記記録媒体の全ての記録情報を対象として操作手段からの操作指令に応じた動作を行わせるとともに、前記記録動作を継続して行わせる制御手段を具備したことを特徴とする。
【０００７】
上記課題を解決するため、請求項２に記載の情報記録再生装置の発明は、記録媒体に記録された情報を読み出す読出手段と、前記読出手段により読み出された情報が書き込まれる第１記録手段と、前記第１記録手段に書き込まれた情報を出力する出力手段と、前記読出手段により読み出された情報が記録される第２記録手段と、を備えた情報記録再生装置であって、前記第１記録手段の情報の蓄積量が所定値に達したときに前記第２記録手段への記録動作を開始させ、前記第２記録手段への記録動作中に前記記録媒体の全ての記録情報を対象として操作手段からの操作指令に応じた動作を行わせるとともに、前記操作指令が発せられた後も前記記録動作を継続して行わせる制御手段を具備したことを特徴とする。
【０００８】
上記課題を解決するため、請求項５に記載の情報記録再生方法の発明は、記録媒体に記録された情報を読み出して出力するとともに、前記読み出された情報を記録する情報記録再生方法であって、前記記録媒体に記録された情報を読み出す工程と、前記読み出された情報を第１記録手段に書き込む工程と、前記書き込まれた情報を出力する工程と、前記記録媒体から読み出された情報を第２記録手段に記録する工程と、前記第２記録手段への記録動作中に前記記録媒体の全ての記録情報を対象として操作指令に応じた動作を行わせる工程と、前記記録動作を継続して行わせる工程と、を具備したことを特徴とする。
【０００９】
上記課題を解決するため、請求項６に記載の情報記録再生方法の発明は、記録媒体に記録された情報を読み出して出力するとともに、前記読み出された情報を記録する情報記録再生方法であって、前記記録媒体に記録された情報を読み出す工程と、前記読み出された情報を第１記録手段に書き込む工程と、前記書き込まれた情報を出力する工程と、前記第１記録手段への情報の蓄積量が所定値に達したか否かを判断する工程と、前記第１記録手段の情報の蓄積量が所定値に達したときに第２記録手段への記録を開始させる工程と、前記第２記録手段への記録動作中に前記記録媒体の全ての記録情報を対象として操作指令に応じた動作を行わせる工程と、前記操作指令が発せられた後も前記記録動作を継続して行わせる工程と、を具備したことを特徴とする。
【００１０】
上記課題を解決するため、請求項７に記載の情報記録再生用プログラムの発明は、記録媒体に記録された情報の読み出し動作及びその読み出された情報の出力動作を制御するとともに、前記読み出された情報の記録動作を制御するコンピュータを、前記記録媒体に記録された情報を読み出させ、前記読み出された情報を第１記録手段に書き込ませ、前記書き込まれた情報を出力させ、前記記録媒体から読み出された情報を第２記録手段に記録させ、前記第２記録手段への記録動作中に前記記録媒体の全ての記録情報を対象として操作指令に応じた動作を行わせ、前記記録動作を継続して行わせるものとして機能させることを特徴とする。
【００１１】
上記課題を解決するため、請求項８に記載の情報記録再生用プログラムの発明は、記録媒体に記録された情報の読み出し動作及びその読み出された情報の出力動作を制御するとともに、前記読み出された情報の記録動作を制御するコンピュータを、前記記録媒体に記録された情報を読み出させ、前記読み出された情報を第１記録手段に書き込ませ、前記書き込まれた情報を出力させ、前記第１記録手段への情報の蓄積量が所定値に達したか否かを判断させ、前記第１記録手段の情報の蓄積量が所定値に達したときに第２記録手段への記録を開始させ、前記第２記録手段への記録動作中に前記記録媒体の全ての記録情報を対象として操作指令に応じた動作を行わせ、前記操作指令が発せられた後も前記記録動作を継続して行わせるものとして機能させることを特徴とする。
【００１２】
上記課題を解決するため、請求項９に記載の情報記録媒体の発明は、請求項７または８に記載の情報記録再生用プログラムが記録されていることを特徴とする。
【００１３】
【発明の実施の形態】
以下、本発明の実施形態を図面に基づいて説明する。
【００１４】
なお、以下に説明する実施形態は、ＤＶＤ（Digital Versatile Disc）やＣＤ（Compact Disc）等の記録媒体を再生する情報再生装置にＨＤのような大容量の記録メディアを搭載した情報記録再生装置に対して本発明を適用した場合の実施形態である。
【００１５】
一般に、ＤＶＤやＣＤ等の記録媒体に記録された情報を再生する情報再生装置では、記録媒体から読み出された情報をＳＤＲＡＭ（Synchronous DRAM）等のメモリに書き込み、その書き込まれた情報を順次読み出して出力する、いわゆるショックプルーフ再生が行われている。情報再生装置にて記録媒体に記録された情報のショックプルーフ再生を行うとき、メモリの容量が書き込まれた情報により満たされると、記録媒体に記録された情報を読み出す動作がポーズ状態となり、その書き込まれた情報が出力されてメモリにある程度の空きが生じるまで時間がある。
【００１６】
例えば、４０ＭＢ程度の記録容量を持つメモリを搭載した情報再生装置では、メモリが満たされた状態でショックプルーフ再生によりメモリの容量が空になるまでの時間を非圧縮データの情報にて３０秒程度とすることが可能となる。つまり、この場合のメモリの容量は、記録媒体の情報がショックプルーフ再生により通常の読出し速度（記録媒体毎に定められた読出し速度、例えば、１倍速）で読み出されたときに３０秒程度かけて蓄積される情報蓄積量に相当する。このように大容量のメモリを搭載した情報再生装置では、耐振性能を低下させることなく、上記したポーズ状態の時間を長く設定することが可能である。
【００１７】
まず、本発明における第１実施形態について説明する。図１は、そのような情報再生装置にＨＤ等の大容量の記録メディアを搭載した第１実施形態の情報記録再生装置を示すブロック図である。なお、以下に説明する第１実施形態は、記録媒体に記録された情報を圧縮されていない音声データとしてそれを読み出すとともに、その読み出された音声データをＨＤへ記録する場合に対して本発明を適用した場合の実施形態である。なお、情報としては、画像データ等様々なデータを適用させることができる。また、第１実施形態の説明に用いる音声データは音楽データを含むものであり、記録媒体に複数記録されているそれらを曲として表現することとする。
【００１８】
図１に示すように、第１実施形態の情報記録再生装置１は、所定のクランプ位置に搬入されたＤＶＤやＣＤ等の記録媒体２を一定の線速度で回転させるディスクモータ３と、記録媒体２に記録された音声データを光学的に読み出す読出手段としてのピックアップ４と、このピックアップ４で読み出された音声データを増幅するＲＦアンプ５と、このＲＦアンプ５で増幅した音声データを復調するとともに、ドライバ６を介してディスクモータ３とピックアップ４をサーボ制御するサーボ信号処理回路７とを備えている。
【００１９】
ここで、ピックアップ４は、記録媒体２に記録された音声データを通常の読出し速度（記録媒体毎に定められた読出し速度、例えば、１倍速）より速い読出し速度、例えば、４倍速の速度にて読み出す。ディスクモータ３を４倍速のＣＬＶ（Constant Linear Velosity：線速度一定）で回転させる場合には、サーボ信号処理回路７がピックアップ４により読み出された信号からディスクモータ３の回転速度を制御して４倍速とする。そして、ディスクモータ３の回転速度がピックアップ４の読出し速度に適合した速度となり、記録媒体２に記録された音声データは通常の速度より速い速度にて正常に読み出される。
【００２０】
なお、第１実施形態においては、ディスクモータ３を通常のＣＬＶで回転させるということは、予め規格により定められた速度にて回転させることであって、４倍速のＣＬＶでディスクモータ３を回転させる場合には、予め規格により定められた速度の４倍で回転させるということである。また、読出し及び出力する速度の場合も予め規格により定められた速度を通常の速度としている。
【００２１】
また、情報記録再生装置１は、サーボ信号処理回路７を介して音声データを記録するか、あるいは記録せずに音声出力するかを切り替える出力切替回路８と、ＨＤＤ９と、第２記録手段としてのＨＤ１０とを備え、出力切替回路８でＨＤ１０側に切り替えられると、ピックアップ４で読み出された記録媒体２の音声データがサーボ信号処理回路７、ＨＤＤ９を介してＨＤ１０に記録される。
【００２２】
さらに、情報記録再生装置１は、サーボ信号処理回路７で復調された音声データの第１記録手段としてのメモリ１２への書込みまたはメモリ１２に書き込まれた音声データの読み出しを実行する音声信号処理回路１１を備えている。そして、出力切替回路８で音声信号処理回路１１側に切り替えられると、ピックアップ４で読み出された記録媒体２の音声データがサーボ信号処理回路７を介して音声信号処理回路１１に供給され、メモリ１２に書き込まれる。ここで、メモリ１２は、例えば、４０ＭＢ程度の記録容量を持つＳＤＲＡＭであり、上述したようにそのメモリ１２の容量は３０秒程度に相当する情報蓄積量に設定される。
【００２３】
そして、情報記録再生装置１は、音声信号処理回路１１によりメモリ１２から読み出された音声データをデジタル音声信号からアナログ音声信号に変換するＤ／Ａ変換器１３と、このアナログ音声信号に変換された信号を音声として出力するアンプ及びスピーカ等からなる出力部１４とを備えている。これら、音声信号処理回路１１、Ｄ／Ａ変換器１３、出力部１４にて出力手段が構成される。そして、メモリ１２に書き込まれた音声データは、音声信号処理回路１１、Ｄ／Ａ変換器１３、出力部１４により通常の速度（例えば、１倍速）にて音声として出力される。
【００２４】
また、情報記録再生装置１は、制御手段としてのマイクロコンピュータ（以下、マイコンと略称する。）１５及び操作手段としての操作部１６を有する。このマイコン１５は、サーボ信号処理回路７、出力切替回路８、音声信号処理回路１１及びＤ／Ａ変換器１３を制御する。そして、メモリ１２への音声データの蓄積量が所定値である３０秒に相当する量に達したときにＨＤ１０への記録を開始させる。また、前記蓄積量がその３０秒に相当する量より少ない６秒に相当する量になるまでの間、すなわちＨＤ１０への記録動作中に、操作部１６からの操作指令に応じた動作、例えばユーザによる曲の選択操作指令やＦＦ／ＲＥＷ（早送り／早戻し）操作指令により選択された記録媒体２の音声データを読み出して音声として出力させる動作を行わせる。さらに、その操作指令が発せられた後もＨＤ１０への記録動作を継続して実行させるように制御する。
【００２５】
ここで、記録媒体２に記録された音声データのＨＤ１０への記録動作中に操作部１６による曲の選択操作があった場合の動作を図１のブロック図に基づいて説明する。例えばユーザにより操作部１６に設けられた図示せぬ操作ボタンが押下されて曲の選択がなされると、操作部１６はその選択指令をマイコン１５に送信する。マイコン１５は、選択指令を受けるとサーボ信号処理回路７を制御してドライバ６により、ＨＤ１０への記録のための記録媒体２における音声データの読出し動作を中断させる。そして、選択された曲に対する音声データの先頭位置にピックアップ４を移動させる。それと同時に選択指令を受ける直前に読み出していた記録媒体２における音声データの記録位置を示す情報を図示せぬ内蔵メモリに記憶する。また、出力切替回路８を音声信号処理回路１１側に切り替える。ピックアップ４は通常の速度より速い４倍速の読出し速度にて記録媒体２における選択された音声データを読み出す。その読み出された音声データはＨＤ１０に記録されることなくメモリ１２に書き込まれる。メモリ１２に書き込まれた音声データは、音声信号処理回路１１、Ｄ／Ａ変換器１３及び出力部１４により通常の速度（例えば、１倍速）にて音声出力される。メモリ１２の蓄積量が３０秒に相当する量に達すると、マイコン１５は内蔵メモリに記憶した記録位置を示す情報に基づき、サーボ信号処理回路７を制御してドライバ６によりピックアップ４を記録媒体２におけるその記録位置に移動させる。また、出力切替回路８をＨＤ１０側へ切り替える。そして、４倍速の読出し速度にて記録媒体２における記録位置から音声データの読み出しを再開し、出力切替回路８を介してＨＤＤ９によりＨＤ１０に記録する。なお、このＨＤ１０への記録動作中では、ユーザにより選択された曲に対する音声データの音声出力がメモリ１２から通常の速度にて行われている。このように、ＨＤ１０への記録動作中に操作部１６からの操作指令を受けた場合でも、その操作指令に応じた動作を行わせつつ、ＨＤ１０への記録動作を継続して行わせるようにしている。
【００２６】
次に、第１実施形態の動作を図２〜図４に基づいて詳細に説明する。図２は第１実施形態の読出し及び記録動作を示す説明図である。
【００２７】
なお、第１実施形態の情報記録再生装置１は、上記のようにピックアップ４が記録媒体２に記録された音声データを通常の読出し速度（例えば、１倍速）より速い４倍速の読出し速度に設定され、記録媒体２に記録された音声データの３０秒分相当を蓄積可能なメモリ１２を搭載しているものとする。
【００２８】
また、第１実施形態は、音声データの蓄積量がメモリ１２に３０秒分相当蓄えられたら、一旦ピックアップ４によるメモリ１２へ書き込むための音声データの読出し動作を中断してＨＤ１０へ記録するための音声データの読出し動作に移行し、メモリ１２の音声データの蓄積量（残量）が６秒分相当まで減少したらメモリ１２へ書き込むための音声データの読出し動作に戻る場合の一例を示している。さらに、そのＨＤ１０への記録動作中にユーザにより操作部１６の操作がなされた際に、そのＨＤ１０へ記録するための音声データの読出し動作を中断してメモリ１２へ書き込むための音声データの読出し動作に移行する場合の一例も示している。
【００２９】
図２は、実際に出力部１４から音声出力される音声データＤ１と、メモリ１２の音声データの蓄積量Ｄ２と、ピックアップ４による記録媒体２における音声データの読み出し遷移とその記録位置Ａと、ＨＤ１０に記録される音声データＤ３の記録遷移を示している。
【００３０】
上記の実際に出力部１４から音声出力される音声データＤ１は、通常の速度（４倍速の読出し速度より遅い速度：以下１倍速として説明する）にて時間の経過とともに出力される音声データを示している。なお、図中の矢印は、時間が経過する方向を単に模式的に示したものであり、図中左側から右側に向けて時間が経過し、それに伴い実際に音声出力される音声データが変化していることを示している。
【００３１】
メモリ１２の音声データの蓄積量Ｄ２は、横軸がメモリ１２へ書き込むための読出し経過時間とメモリ１２から出力される出力経過時間とを含む経過時間を示し、縦軸がその経過時間によって変化するメモリ１２に書き込まれた音声データの蓄積量を示している。なお、図中左側から右側に向けて時間が経過していることを示している。
【００３２】
ピックアップ４が読み出している記録媒体２における音声データの読出し位置Ａは、ピックアップ４がメモリ１２へ書き込むために読み出している記録媒体２における音声データの記録位置ＡとＨＤ１０へ記録するために読み出している記録媒体２における音声データの記録位置Ａとを含む記録媒体２の音声データの読出し位置を示している。なお、図中の矢印は、時間の経過とともに読出し位置が遷移する方向を単に模式的に示したものであり、図中左側から右側に向けて読出し位置が遷移していることを示している。
【００３３】
ＨＤ１０に記録される音声データＤ３の記録遷移は、ピックアップ４が読み出している記録媒体２における音声データの読出し位置Ａに対応するようにしてＨＤ１０への記録遷移を示している。つまり、ピックアップ４により読み出された記録媒体２における如何なる音声データがＨＤ１０に記録されているかの状況を示している。なお、図中の矢印は、時間の経過とともに記録が遷移する方向を単に模式的に示したものであり、図中左側から右側に向けてＨＤ１０への記録が遷移していることを示している。
【００３４】
次に、上述した図２における実際に出力部１４から音声出力される音声データＤ１と、メモリ１２の音声データ蓄積量Ｄ２と、ピックアップ４が読み出している音声データの記録位置Ａと、ＨＤ１０に記録される音声データＤ３の記録遷移との関係を図１に示すブロック図を引用しながら説明する。
【００３５】
まず、マイコン１５によりサーボ信号処理回路７を制御してドライバ６によりピックアップ４を記録媒体２における１曲目の音声データの先頭位置に移動させる。そして、４倍速の読出し速度にて１曲目の音声データを読み出す。ピックアップ４により１曲目の０：００の記録位置Ａから音声データの読み出しが始まると、例えば記録媒体２から１０秒かけて１曲目の０：００の記録位置Ａから０：４０の記録位置Ａまでの４０秒分相当の音声データを読み出す。この０：００や０：４０の記録位置Ａは、例えば、記録媒体２がＣＤの場合にはサブコードＱのデータを参照することにより得られる。なお、この時、マイコン１５は出力切替回路８を音声信号処理回路１１側に切り替えており、ＨＤ１０には音声データが記録されないでメモリ１２に書き込まれる状態にある。また、記録媒体２から音声データを読出す時間は、マイコン１５によりメモリ１２に書き込まれた音声データの蓄積量を監視することによって制御される。
【００３６】
ここで、記録媒体２の音声データは４倍速の読出し速度にて読み出されているので、１０秒間かけて読み出される音声データは４０秒分相当である。そして、その間に１０秒分相当の音声データはメモリ１２に書き込まれた後、実際に出力部１４から音声出力される音声データＤ１とされてしまう。よって、メモリ１２への音声データの蓄積量はｄ１に示すように３０秒分相当の音声データが書き込まれることになる。
【００３７】
そして、マイコン１５は、メモリ１２に書き込まれた音声データの蓄積量Ｄ２が３０秒分相当に達したとき、一旦メモリ１２へ書き込むための音声データの読出し動作を中断させる。そして、出力切替回路８をＨＤ１０側に切り替える。それと同時にそれまで読み出していた記録媒体２における１曲目の音声データの０：４０の記録位置Ａを示す情報を内蔵メモリに記憶する。
【００３８】
次に、ＨＤ１０へ音声データを記録するための動作に移行する。まず、記録媒体２における１曲目の音声データの０：４０の記録位置Ａにあるピックアップ４を１曲目の音声データの先頭を示す０：００の記録位置Ａに戻す。そして、その０：００の記録位置Ａから４倍速の読出し速度にて音声データを読み出す。つまり、ピックアップ４による音声データの読出しは、１曲目の０：４０の記録位置Ａまで行っていたが、その読み出された音声データは、ＨＤ１０に記録されていない状態にある。マイコン１５は、内蔵されたメモリに記憶されている１曲目の０：００の記録位置Ａを示す情報に基づき、その位置にピックアップ４を戻して音声データの読出しを行わせる。そして、この読み出された音声データは出力部１４から音声出力されず、すなわちメモリ１２に書き込まれることなくＨＤ１０に記録される。このようにして、ＨＤ１０への音声データの記録動作が開始される。このＨＤ１０への記録動作中は、メモリ１２に書き込まれた音声データが出力部１４から通常の速度にて音声として出力される。
【００３９】
ＨＤ１０への記録動作が開始されたとき、メモリ１２には記録媒体２における１曲目の音声データの０：１０の記録位置Ａから０：４０の記録位置Ａまでの３０秒分相当の音声データが蓄積されている（メモリ１２への音声データの蓄積量がｄ１）。その状態から、メモリ１２に蓄積されている音声データを出力部１４により通常の速度にて出力させると、メモリ１２の音声データの蓄積量Ｄ２はなだらかに減少していく。そして、メモリ１２の音声データの蓄積量Ｄ２がｄ２に示す６秒分相当になるまでの２４秒の間に出力部１４により通常の速度にてメモリ１２の音声データを出力させる。すると、実際に出力部１４から音声出力される音声データＤ１が１曲目の音声データの３４秒相当になる。また、ＨＤ１０に記録するために記録媒体２から読み出される１曲目の音声データが２４秒の４倍に相当する９６秒分（１曲目の音声データの０：００の記録位置Ａから１：３６の記録位置Ａまで）となる。そして、ＨＤ１０に記録される音声データＤ３が１曲目の０：００の記録位置Ａから１：３６の記録位置Ａまでとなる。
【００４０】
マイコン１５は、メモリ１２の音声データの蓄積量Ｄ２がｄ２に示す６秒分相当まで減少したとき、ＨＤ１０へ記録するためのピックアップ４による音声データの読出し動作を中断させる。すなわち、ＨＤ１０への音声データの記録動作を中断させる。そして、メモリ１２へ書き込むためのピックアップ４による音声データの読出し動作に戻る。この時点でメモリ１２には、記録媒体２における１曲目の０：３４の記録位置Ａから０：４０の記録位置Ａまでの６秒分相当の音声データが蓄積されており、この状態から記録媒体２における１曲目の０：４０の記録位置Ａから３０秒分相当の音声データをメモリ１２に書き込むまではピックアップ４によるメモリ１２へ書き込むための音声データの読出し動作を行わせる。
【００４１】
まず、マイコン１５は、内蔵メモリに記憶されている１曲目の音声データの０：４０の記録位置Ａを示す情報に基づき、ピックアップ４をその位置まで移動させる。そして、ピックアップ４による４倍速の読出し速度にて記録媒体２における１曲目の音声データの０：４０の記録位置Ａから読み出しを再開する。
【００４２】
また、ＨＤ１０側に切り替えられていた出力切替回路８を音声信号処理回路１１側に戻すとともに、それまで読み出していた記録媒体２における１曲目の音声データの１：３６の記録位置Ａを示す情報を内蔵メモリに記憶する。
【００４３】
なお、この１：３６の記録位置Ａを示す情報は、現時点におけるＨＤ１０へ記録された音声データの最終記録位置Ａを示す情報であり、上記した０：４０の記録位置Ａを示す情報とはその性質が異なる。つまり、内蔵メモリでは、メモリ１２に書き込まれた現時点での音声データの最終記録位置Ａを示す情報とＨＤ１０に記録された現時点での最終記録位置Ａを示す情報とが区別されるように記憶されている。そして、これらの最終記録位置Ａを示す情報に基づき、メモリ１２へ書き込む際のピックアップ４の記録媒体２における音声データの読み出し開始位置、及びＨＤ１０へ記録する際のピックアップ４の記録媒体における音声データの読み出し開始位置が設定されることになる。
【００４４】
そして、ピックアップ４により１曲目の音声データの０：４０の記録位置Ａから読み出しが始まると、例えば記録媒体２から８秒かけて１曲目の０：４０の記録位置Ａから１：１２の記録位置Ａまでの３２秒相当の音声データを読み出す。なお、上記と同様にこの読み出された音声データはＨＤ１０に記録されることなくメモリ１２に書き込まれる。また、この間に８秒分相当の音声データは実際に出力部１４により音声出力される音声データＤ１としてメモリ１２から出力される。よって、メモリ１２への音声データの蓄積量Ｄ２はｄ３に示すように［メモリ１２に残っていた６秒分相当の音声データ］＋［今回読み出した３２秒分相当の音声データ］−［読出し中に実際に音声として出力した８秒分相当の音声データ］＝３０秒分相当となる。この時点で記録媒体２における１曲目の０：４０の記録位置Ａから１：１２の記録位置Ａまでの音声データがメモリ１２に書き込まれたことになる。
【００４５】
そして、マイコン１５は、メモリ１２に書き込まれた音声データの蓄積量Ｄ２が３０秒分相当に達したとき、一旦メモリ１２へ書き込むための音声データの読出し動作を中断させる。そして、出力切替回路８をＨＤ１０側に再度切り替える。それと同時にそれまで読み出していた記録媒体２における１曲目の音声データの１：１２の記録位置Ａを示す情報を内蔵メモリに記憶する（１曲目の音声データの０：４０の記録位置Ａを示す情報から１曲目の音声データの１：１２の記録位置Ａを示す情報に書き換える）。
【００４６】
次に、ＨＤ１０へ音声データを記録するための動作に移行する。まず、記録媒体２における１曲目の音声データの１：１２の記録位置Ａにあるピックアップ４を、内蔵メモリに記憶された１曲目の音声データの１：３６の記録位置Ａを示す情報に基づき、その記録位置に移動させる。そして、その１：３６の記録位置Ａから４倍速の読出し速度にて音声データを読み出す。つまり、ＨＤ１０には１曲目の１：３６の記録位置Ａまでの音声データが記録されている状態にあったので、その記録位置にピックアップ４を移動させて音声データの読出しを行う。そして、この読み出された音声データは出力部１４から音声出力されず、すなわちメモリ１２に書き込まれることなくＨＤ１０に記録される。このようにして、ＨＤ１０に記録されている音声データを途切れさせることなくＨＤ１０への音声データの記録動作が継続して行われる。上記と同様にこのＨＤ１０への記録動作中は、メモリ１２に書き込まれた１曲目の音声データが出力部１４から通常の速度にて音声として出力される。
【００４７】
ＨＤ１０への記録動作が再開されたとき、メモリ１２には記録媒体２における１曲目の０：４０の記録位置Ａから１：１２の記録位置Ａまでに相当する音声データが蓄積されている（メモリ１２への音声データの蓄積量がｄ３）。その状態から、メモリ１２に蓄積されている音声データを出力部１４により通常の速度にて出力させると、メモリ１２の音声データの蓄積量Ｄ２はなだらかに減少していく。そして、メモリ１２の音声データの蓄積量Ｄ２が６秒分相当になるまでの２４秒間、出力部１４により通常の速度にてメモリ１２の音声データを出力させると、実際に出力部１４から音声出力される音声データＤ１が１曲目の音声データの１分１２秒相当になる。そして、ＨＤ１０に記録するために記録媒体２から読み出される１曲目の音声データが２４秒の４倍に相当する９６秒分（１曲目の音声データの１：３６の記録位置Ａから３：１２の記録位置Ａまで）となる。また、ＨＤ１０に記録される音声データＤ３は新たに記録された音声データが加わることにより１曲目の０：００の記録位置Ａから３：１２の記録位置Ａまでとなる。
【００４８】
しかし、そのＨＤ１０への記録動作中に操作部１６からの操作指令があった場合には、次のように遷移する。
【００４９】
図２に示すように、メモリ１２への音声データの蓄積量Ｄ２がｄ３からなだらかに減少して６秒分相当になる前の１２秒分相当（図中ｄ４で示す）になったときにユーザが操作部１６により上記の曲の選択操作をした場合、出力部１４から音声出力される音声データＤ１は、１曲目の音声データの（最初の１０秒）＋（最初の記録中の２４秒）＋（次に読み出したときの８秒）＋（今回ユーザがトラック選択操作を行うまでの１８秒）＝１分００秒相当となる。また、ＨＤ１０に記録するために記録媒体２から読み出される１曲目の音声データは１８秒の４倍に相当する７２秒分（１曲目の音声データの１：３６の記録位置Ａから２：４８の記録位置Ａまで）となる。そして、ＨＤ１０に記録される音声データＤ３は新たに記録された音声データが加わることにより１曲目の０：００の記録位置Ａから２：４８の記録位置Ａまでとなる。なお、ユーザによる操作指令があった場合にその時点でピックアップ４が読み出していた音声データの記録位置Ａを示す情報を内蔵メモリに記憶する。この場合１曲目の音声データの２：４８の記録位置Ａを示す情報を内蔵メモリに記憶する（１曲目の１：３６の記録位置Ａを示す情報から１曲目の２：４８の記録位置Ａを示す情報に書き換える）ことになる。
【００５０】
そして、マイコン１５は、操作部１６によりユーザが曲の選択操作をした場合には、ピックアップ４によるＨＤ１０への音声データを記録するための読出し動作及びＨＤ１０への記録動作を中断させる。そして、サーボ信号処理回路７等を制御してユーザによる曲の選択操作に応じた動作を行わせる。
【００５１】
すなわち、図２に示すようにユーザが１曲目の音声データの音声出力から、例えば２曲目の音声データを音声出力させるべく選択操作した場合には、その２曲目の音声データを音声出力させる動作に移行する。まず、マイコン１５は、サーボ信号処理回路７を制御してドライバ６によりピックアップ４を記録媒体２における２曲目の音声データの先頭位置に移動させる。その２曲目の０：００の記録位置Ａから音声データを４倍速の読出し速度にて読み出す。なお、メモリ１２に蓄積されていた１２秒分相当の１曲目の音声データを破棄し、２曲目の音声データをピックアップ４により読み出しながらメモリ１２に順次書き込んでいく。ピックアップ４により２曲目の音声データの読み出しが始まると、例えば記録媒体２から１０秒間かけて２曲目の０：００の記録位置Ａから０：４０の記録位置Ａまでの４０秒分相当の音声データを読み出す。なお、この時、マイコン１５は出力切替回路８を音声信号処理回路１１側に切り替えており、ＨＤ１０には音声データが記録されないでメモリ１２に書き込まれる状態にある。
【００５２】
ここで、記録媒体２の音声データは４倍速の読出し速度にて読み出されているので、１０秒間かけて読み出される音声データの量は４０秒分相当の量である。そして、その間に１０秒分相当の２曲目の音声データがメモリ１２に書き込まれた後、実際に出力部１４から音声出力される音声データＤ１になるため、今まで音声出力されていた１曲目の音声データからユーザが所望する２曲目の音声データに切り替わることになる。そして、メモリ１２の２曲目の音声データの蓄積量Ｄ２はｄ５に示すように３０秒分相当の音声データが書き込まれることになる。
【００５３】
マイコン１５は、メモリ１２に書き込まれた音声データの蓄積量が３０秒分相当に達したとき、一旦メモリ１２へ書き込むための音声データの読出し動作を中断させる。そして、出力切替回路８をＨＤ１０側に切り替える。それと同時にそれまで読み出していた記録媒体２における２曲目の音声データの０：４０の記録位置Ａを示す情報を内蔵メモリに記憶する。次に、ＨＤ１０に音声データを記録するための動作に移行する。まず、内蔵メモリに記録された１曲目の２：４８の記録位置Ａを示す情報に基づき、その記録位置にピックアップ４を戻す。そして、その１曲目の２：４８の記録位置Ａから４倍速の読出し速度にて音声データを読み出す。そして、この読み出された音声データは出力部１４から音声出力されず、すなわちメモリ１２に書き込まれずにＨＤ１０に記録されていく。このようにして、ＨＤ１０の１曲目の音声データの記録動作が途切れることなく継続して行われる。このＨＤ１０への記録動作中は、メモリ１２に書き込まれた２曲目の音声データが出力部１４から通常の速度にて音声として出力される。
【００５４】
ＨＤ１０への記録動作が再開されたとき、メモリ１２には記録媒体２における２曲目の音声データの０：１０の記録位置Ａから０：４０の記録位置Ａまでに相当する音声データが蓄積されている（メモリ１２への音声データの蓄積量がｄ５）。その状態から、メモリ１２に蓄積されている音声データを出力部１４により通常の速度にて出力させると、メモリ１２の音声データの蓄積量Ｄ２はなだらかに減少していく。そして、メモリ１２の音声データの蓄積量Ｄ２がｄ６に示す６秒分相当になるまでの２４秒間、出力部１４により通常の速度にてメモリ１２の音声データを出力させると、実際に出力部１４から音声出力される音声データＤ１が２曲目の音声データの１分１２秒相当になり、ＨＤ１０に記録するために記録媒体２から読み出される１曲目の音声データが２４秒の４倍に相当する９６秒分（１曲目の音声データの２：４８の記録位置Ａから４：２４の記録位置Ａまで）となる。そして、ＨＤ１０に記録される音声データＤ３は新たに記録された音声データが加わることにより１曲目の０：００の記録位置Ａから４：２４の記録位置Ａまでとなる。
【００５５】
そして、マイコン１５は、メモリ１２の音声データの蓄積量Ｄ２がｄ６に示す６秒分相当まで減少したとき、ＨＤ１０に記録するためのピックアップ４による音声データの読出し動作を中断させる。すなわち、ＨＤ１０への音声データの記録動作を中断させる。そして、メモリ１２へ書き込むためのピックアップ４による音声データの読出し動作に戻る。この時点でメモリ１２には、記録媒体２における２曲目の０：３４の記録位置Ａから０：４０の記録位置Ａまでの６秒分相当の音声データが蓄積されており、この状態から記録媒体２における２曲目の０：４０の記録位置Ａから３０秒分相当の音声データをメモリ１２に書き込むまではピックアップ４によるメモリ１２へ書き込むための音声データの読出し動作を行う。
【００５６】
まず、マイコン１５は、内蔵メモリに記憶した２曲目の音声データの０：４０の記録位置Ａを示す情報に基づき、ピックアップ４をその位置まで移動させる。そして、ピックアップ４による４倍速の読出し速度にて記録媒体２における２曲目の音声データの０：４０の記録位置Ａから読み出しを再開する。また、ＨＤ１０側に切り替えられていた出力切替回路８を音声信号処理回路１１側に戻すとともにそれまで読み出していた記録媒体２における１曲目の音声データの４：２４の記録位置Ａを示す情報を内蔵メモリに記憶する。そして、ピックアップ４により２曲目の音声データの０：４０の記録位置Ａから読み出しが始まると、例えば記録媒体２から８秒かけて１曲目の音声データの０：４０の記録位置Ａから３２秒分相当の音声データの１：１２の記録位置Ａまでを読み出す。なお、上記と同様にこの読み出された音声データはＨＤ１０に記録されることなくメモリ１２に書き込まれる。また、この間に８秒分相当の音声データは実際に音声データＤ１としてメモリ１２から出力部１４を介して音声出力されてしまうので、メモリ１２への音声データの蓄積量Ｄ２はｄ７に示すように［メモリ１２に残っていた６秒分相当の音声データ］＋［今回読み出した３２秒分相当の音声データ］−［読出し中に実際に音声として出力した８秒分相当の音声データ］＝３０秒分相当となる。この時点で記録媒体２における２曲目の０：４２の記録位置Ａから１：１２の記録位置Ａまでの音声データがメモリ１２に書き込まれたことになる。
【００５７】
以下、上記と同様の動作を行うことにより、ＨＤ１０への記録動作を終了させることなく、記録媒体２に記録された音声データ（曲）をユーザが自由に選択し、そのユーザの選択した音声データを音声出力させることが可能となる。
【００５８】
なお、上記では、メモリ１２の蓄積量が所定値に達し、音声データがメモリ１２から音声出力されているときにユーザによる操作指令があった場合について説明したが、この場合に限らない。例えば、メモリ１２への音声データの書込途中（例えば、図２に示すメモリ１２の音声データの蓄積量がｄ２からｄ３へ増加中）にユーザによる操作指令があった場合でも本発明を適用することが可能である。その場合には、メモリ１２に残されていた音声データと書込途中の音声データとをともにメモリ１２から破棄して、選択された曲に対する音声データの先頭位置にピックアップ４を移動させ、それ以降は、上記した２曲目の音声データを音声出力させる場合の動作と同様の動作を行えば良い。すなわち、本発明の請求項１における「第２記録媒体への記録動作」とは、「第１記録媒体への書込動作」も含むことになり、その第１記録媒体への書込動作中に操作手段からの操作指令に応じた動作を行わせるとともに、第２記録手段への記録動作を継続して行わせることも本発明の概念に含まれるものである。
【００５９】
また、上記では、ユーザが２曲目の音声データを選択した場合について説明したが、この選択は、記録媒体２に記録された全ての曲（音声データ）を対象として行えることは言うまでもない。例えば、記録媒体２に１０曲の音声データが記録されていた場合には、１０曲目を選択しても同様の処理が行える。また、その１０曲全ての音声データを対象としたスキャン再生指令やランダム再生指令など、如何なる操作指令にも適用できるものである。記録動作中にスキャン再生指令があった場合、例えば、曲の先頭を１０秒間ずつ再生するスキャン再生であれば、スキャン再生指令後にメモリ１２に蓄積された音声データを破棄して記録媒体２に記録された１曲目から４曲目までの各々の音声データを先頭から１０秒間ずつ４倍速の読出し速度でまとめて読み出してメモリ１２に書き込むようにすれば、本発明を適用することが可能である。また、記録動作中にランダム再生指令があった場合には、その指令後にメモリ１２に蓄積された音声データを破棄して装置が自動的に選択した音声データを４倍速の読出し速度で読み出してメモリ１２に書き込むようにすれば、本発明を適用することが可能である。
【００６０】
図３は第１実施形態の読出し及び記録処理を示すフローチャート、図４は図３の処理に継続して実行される処理を示すフローチャートである。
【００６１】
図３に示すように、まず、メモリ１２に書き込むための記録媒体２における所定の音声データの読出しを開始する（ステップＳ１）。例えば、ユーザが記録媒体２を情報記録再生装置１内に挿入すると、１曲目の音声データの読み出しが始まり、記録媒体２の１曲目の先頭アドレス（アドレスは、上記した記録位置Ａと同等である。これ以降に登場するアドレスも同様である。）から１０秒かけて音声データを読み出す（ステップＳ２）。ここで、記録媒体２の音声データは４倍速にて読み出されているので、１０秒間に読み出される音声データは４０秒分相当である。そして、その間に１０秒分相当の音声データはメモリ１２から出力部１４を介して通常の速度で音声出力されるので、メモリ１２には３０秒分相当の音声データが書き込まれることになる。このようにメモリ１２に３０秒分相当の音声データが書き込まれるまでステップＳ２〜Ｓ５までの処理を繰り返す。
【００６２】
３０秒分相当の音声データがメモリ１２に書き込まれるまでの間、マイコン１５は、操作部１６によりユーザが曲の選択操作、スキャン再生操作、またはランダム再生操作等の操作をしたか否かを判断し（ステップＳ３）、ユーザが上記の操作を行ったとマイコン１５が判断した場合（ステップＳ３：ＹＥＳ）には、メモリ１２に書き込むための音声データの読出し処理を中断させ、ユーザの操作指令を受けた（ステップＳ４）後、ステップＳ１に戻る。すなわち、それまでのメモリ１２に書き込むための音声データの読出し処理を中断させるとともに、メモリ１２に書き込まれた音声データを破棄する。そして、例えば、ユーザの操作指令が曲の選択操作を示すものであった場合には、ピックアップ４を記録媒体２における選択された曲の音声データの先頭アドレスに移動する。そして、再びメモリ１２に書き込むために、選択された曲の音声データの読み出しをその先頭から開始する。また、ステップＳ３でユーザが操作をしていないと判断した場合（ステップＳ３：ＮＯ）には、ステップＳ５に進む。
【００６３】
マイコン１５は、ステップＳ５において、メモリ１２に３０秒分相当の音声データが書き込まれたか否か、すなわち、メモリ１２の蓄積量がフルになったか否かを判断する。３０秒相当の音声データが書き込まれたと判断した場合（ステップＳ５：ＹＥＳ）には、一旦ピックアップ４によるメモリ１２に書き込むための音声データの読出し処理を中断させる。そして、記録媒体２から読み出された音声データのメモリ１２の蓄積量がフルになった時点での最終アドレス（以降、メモリ１２の最終アドレスと称して説明する）を記憶して、ＨＤ１０への記録処理を開始させる（ステップＳ６）。
【００６４】
その記録処理では、まず、ＨＤ１０に記録するための音声データの読出し処理を行う（ステップＳ７）。このステップＳ７における記録処理のための音声データの読出し処理では、出力切替回路８をＨＤ１０側に切り替えて、記録媒体２における１曲目の音声データの先頭のアドレスにピックアップ４を戻す。次に、そのアドレスから音声データの読み出しを行う。その読出し処理により読み出された音声データはＨＤＤ９によりＨＤ１０に記録される。この記録処理では、上述したように出力切替回路８をＨＤ１０側とすることにより、読み出した音声データを出力部１４から音声出力させずに１曲目から順にＨＤ１０に記録していく。この音声データの記録処理中は、メモリ１２に書き込まれた音声データを出力部１４から音声出力する。なお、メモリ１２に３０秒分相当の音声データが書き込まれていない場合（ステップＳ５：ＮＯ）には、ステップＳ２に戻り、３０秒分相当の音声データが書き込まれるまでメモリ１２に書き込むための音声データの読出し処理を実行する。
【００６５】
ＨＤ１０への音声データの記録処理が開始されたとき、メモリ１２には３０秒分相当の音声データが書き込まれている。記録処理中、メモリ１２に書き込まれた音声データが出力部１４を介して通常の速度で順次音声出力されている。そして、メモリ１２の蓄積量が除々に減少されて、その蓄積量が６秒分相当になるまでＨＤ１０への記録処理を行うと、２４秒間記録処理を行うことになる。したがって、ピックアップ４は４倍速で音声データを読み出しているので、２４秒間に９６秒（１分３６秒）分相当のデータをＨＤ１０に記録することができる。
【００６６】
マイコン１５は、ステップＳ７における記録処理のための音声データの読出し処理が行われている間、ユーザが曲の選択操作、スキャン操作、またはランダム再生操作等の操作を行ったか否かを判断する（ステップＳ８）。そして、ユーザが上記の操作を行ったと判断した場合（ステップＳ８：ＹＥＳ）には、ＨＤ１０への記録処理を中断させ、操作部１６からのユーザの操作指令を受けた（ステップＳ９）後、ステップＳ１に戻る。ステップＳ９では、その記録処理を中断させた時点でメモリ１２に残されている音声データを破棄し、出力切替回路８を音声信号処理回路１１側に切り替える。また、記録媒体２から読み出された音声データの記録処理を中断させた時点での最終アドレス（以降、ＨＤ１０の最終アドレスと称して説明する）を記憶する。そして、ステップＳ１では、例えば、操作部１６からの操作指令が曲の選択操作を示すものであった場合には、その選択された曲の先頭アドレスにピックアップ４を移動させて、メモリ１２に書き込むための音声データの読出し処理を先頭から開始する。そして、ステップＳ２以降の処理が行われるが、ステップＳ７では、ステップＳ９にてユーザの操作により記録処理を中断させた時点での音声データの最終アドレスから記録処理のための読出し処理が再開されることになる。また、ステップＳ８でユーザが上記の操作を行っていないと判断した場合（ステップＳ８：ＮＯ）には、ステップＳ１０に進む。
【００６７】
マイコン１５は、ステップＳ１０において、メモリ１２の音声データの蓄積量が６秒分相当まで減少したか否かを判断し、減少したと判断した場合（ステップＳ１０：ＹＥＳ）には、ＨＤ１０への記録処理を中断させ、出力切替回路８を音声信号処理回路１１側に切り替えて、メモリ１２に書き込むためのピックアップ４による音声データの読出し処理を再開する（ステップＳ１１）。つまり、記録処理を中断した時点でのＨＤ１０の最終アドレスを記憶するとともに、ステップＳ６の処理にて記憶されたメモリ１２の最終アドレスにピックアップ４を戻して、メモリ１２に書き込むための音声データの読出し処理を再開する。また、ステップＳ１０において、メモリ１２の音声データの蓄積量が６秒分相当まで減少していない場合（ステップＳ１０：ＮＯ）には、ステップＳ７に戻り、ＨＤ１０への記録処理を継続する。ステップＳ１１における読出し処理の再開時点でメモリ１２には、６秒分相当の音声データが蓄積されており、この状態から３０秒分相当の蓄積量となるまでピックアップ４による音声データの読出し処理を行う（図４のステップＳ１２）。
【００６８】
そして、ユーザが曲の選択操作等の操作を行ったか否かを再び判断し（ステップＳ１３）、ユーザが操作を行ったと判断した場合（ステップＳ１３：ＹＥＳ）には、メモリ１２に音声データを書き込むための読出し処理を中断させて、操作部１６からの操作指令を受けた（ステップＳ１４）後、ステップＳ１に戻る。ステップＳ１４では、その記録処理を中断させた時点でメモリ１２に残されている音声データを破棄し、出力切替回路８を音声信号処理回路１１側に切り替える。そして、例えば、ユーザによる操作が曲の選択操作であった場合には、その選択された曲の先頭アドレスにピックアップ４を移動させて、メモリ１２に書き込むための音声データの読出し処理を開始する。また、ステップＳ１３でユーザが曲の選択操作等の操作を行っていないと判断した場合（ステップＳ１３：ＮＯ）には、ステップＳ１５に進む。
【００６９】
このステップＳ１５では、メモリ１２に３０秒分相当の音声データが書き込まれたか否かを判断し、メモリ１２に３０秒分相当の音声データが書き込まれたと判断した場合（ステップＳ１５：ＹＥＳ）、メモリ１２に書き込むための音声データの読出し処理を中断させて、ＨＤ１０への記録処理に移行する（ステップＳ１６）。まず、ステップＳ１１の処理にて記憶されたＨＤ１０の最終アドレスにピックアップ４を移動させる。そして、出力切替回路８をＨＤ１０側に切り替えて、記録処理のための音声データの読出し処理をその最終アドレスから再開させる。そして、最終アドレスから音声データの読出しが行われ、その読み出された音声データがＨＤＤ９によりＨＤ１０に記録される（ステップＳ１７）。
【００７０】
マイコン１５は、ステップＳ１７における記録処理のための音声データの読出し処理が行われている間、ユーザが曲の選択操作、スキャン操作、またはランダム再生操作等の操作を行ったか否かを再度判断する（ステップＳ１８）。そして、ユーザが上記の操作を行ったと判断した場合（ステップＳ１８：ＹＥＳ）には、ＨＤ１０への記録処理を中断させ、操作部１６からの操作指令を受けた（ステップＳ１９）後、ステップＳ１に戻る。ステップＳ１９では、その記録処理を中断させた時点でメモリ１２に残されている音声データを破棄し、出力切替回路８を音声信号処理回路１１側に切り替える。また、ＨＤ１０の最終アドレスを記憶する。そして、ステップＳ１では、例えば、操作部１６からの操作指令が曲の選択操作を示すものであった場合には、その選択された曲の先頭アドレスにピックアップ４を移動させて、メモリ１２に書き込むための音声データの読出し処理を先頭アドレスから開始する。そして、ステップＳ２以降の処理が行われるが、ステップＳ７では、ステップＳ１９にてユーザの操作により記録処理を中断させた時点での音声データの最終アドレスから記録処理のための音声データの読出し処理が再開されることになる。また、ユーザが上記の操作を行っていないと判断した場合（ステップＳ１８：ＮＯ）には、ステップＳ２０に進む。
【００７１】
そして、マイコン１５は、ステップＳ２０で読出し及び記録処理が終了されたか否かを判断する。例えば、ユーザにより電源ボタンが操作されたか否か、ディスクイジェクトボタンが操作されたか否か等の操作指令を操作部１６から受けることにより判断する。終了されたと判断した場合（ステップＳ２０：ＹＥＳ）には、読出し及び記録処理を終了し、終了されていないと判断した場合（ステップＳ２０：ＮＯ）には、ステップＳ２１に進む。
【００７２】
マイコン１５は、ステップＳ２１において、メモリ１２の音声データの蓄積量が６秒分相当まで減少したか否かを判断し、減少したと判断した場合（ステップＳ２１：ＹＥＳ）には、ＨＤ１０への記録処理を中断して、出力切替回路８を音声信号処理回路１１側に切り替えて、メモリ１２に書き込むためのピックアップ４による音声データの読出し処理を再開する（ステップＳ２２）。つまり、記録処理を中断した時点でのＨＤ１０の最終アドレスを記憶するとともに、ステップＳ１６の処理にて記憶されたメモリ１２の最終アドレスにピックアップ４を戻して、メモリ１２に書き込むための音声データの読出し処理を再開する。また、ステップＳ２１において、メモリ１２の音声データの蓄積量が６秒分相当まで減少していない場合（ステップＳ２１：ＮＯ）には、ステップＳ１７に戻り、ＨＤ１０への記録処理を継続する。以下、ステップＳ１２に戻り、ステップＳ１２以降の処理を繰り返す。
【００７３】
なお、第１実施形態では、メモリ１２の蓄積量が６秒分相当までに減少したらメモリ１２に書き込むための音声データの読出し処理に戻るように設定している。その６秒という時間は、メモリ１２の最終アドレスからＨＤ１０の最終アドレスまでピックアップ４が移動する時間を加味したものである。実際上は３秒程度であるが、第１実施形態では、時間的に余裕を持たせて上記のように３秒より長い６秒に設定している。
【００７４】
このように第１実施形態の情報記録再生装置１によれば、記録媒体２に記録された音声データの読出し速度をメモリ１２から出力される１倍速の速度より速い４倍速としてメモリ１２に書き込ませている。よって、メモリ１２の音声データの蓄積量を３０秒分相当とすることができる。また、その３０秒分相当蓄積されたメモリ１２から音声データを音声出力させている間に、記録媒体２から４倍速で音声データを読み出してＨＤ１０に記録させることができる。よって、その記録動作中にユーザが曲の選択等の操作を行ったとしても、その記録動作を一旦中断させ、その選択された音声データをメモリ１２に３０秒分相当蓄積させた後に記録動作を継続して行わせれば、その記録動作を終わらすことなくユーザの所望する音声データの音声出力が可能になる。
【００７５】
また、図３及び図４に示したフローチャートに対するプログラムを、フロッピー（Ｒ）ディスクまたはハードディスク等の情報記録媒体に記録させておき、これを汎用のマイクロコンピュータ等に読み出して実行させることで、そのマイクロコンピュータを本実施形態における情報記録再生装置１として機能させることが可能である。
【００７６】
次に、本発明に係る情報記録再生装置の第２実施形態を説明する。以下に説明する第２実施形態は、記録媒体に記録された情報を圧縮されている音声データとしてそれを読み出すとともに、その読み出された音声データをＨＤへ記録する場合に対して本発明を適用した場合の実施形態である。なお、情報としては、画像データ等様々なデータを適用させることができる。また、第２実施形態の説明に用いる音声データは音楽データを含むものであり、記録媒体に複数記録されているそれらを曲として表現することとする。
【００７７】
図５は本発明に係る情報記録再生装置の第２実施形態を示すブロック図である。なお、第２実施形態の基本構成は、第１実施形態の図１のブロック図と同様であるため、異なる構成のみを説明する。
【００７８】
図５に示すように、第２実施形態の情報記録再生装置１Ａでは、記録媒体２Ａに例えばＭＰ３（MPEG-1 Audio Layer-III）方式により圧縮された音声データ（以下圧縮音声データと称して説明する）が記録されている。ピックアップ４は、その圧縮音声データを通常の読出し速度（記録媒体毎に定められた１倍速の読出し速度）にて読み出す。ディスクモータ３を１倍速のＣＬＶ（Constant Linear Velosity：線速度一定）で回転させる場合には、サーボ信号処理回路７がピックアップ４により読み出された信号からディスクモータ３を制御して通常の読出し速度とする。また、第２実施形態では、情報信号処理部１１Ａがメモリ１２から読み出された圧縮音声データを伸長してＤ／Ａ変換器１３に供給する機能を有している。
【００７９】
上記ＭＰ３方式では、通常の音声データを１／１０に圧縮しているため、通常の読出し速度で読み出したとしても前記第１実施形態のような圧縮されていない音声データと比べ１０倍の音声データがメモリ１２に蓄積されることになる。つまり、圧縮されていない音声データを１０倍の読出し速度で読み出したことと同等となる。そして、圧縮音声データをメモリ１２から通常の読出し速度にて読み出して情報信号処理部１１Ａにて伸長処理して、Ｄ／Ａ変換器１３を介して出力部１４から出力するまでの時間を例えば９秒とすると、メモリ１２からは圧縮音声データが９秒間隔にて読み出されることになる。
【００８０】
そして、メモリ１２に書き込まれた１／１０に圧縮された音声データは、情報信号処理部１１Ａにて１０倍に伸長処理され、通常の音声データとして出力部１４から通常の速度で出力される。
【００８１】
次に、第２実施形態の動作を図６〜図８に基づいて説明する。図６は第２実施形態の読出し及び記録動作を示す説明図である。
【００８２】
なお、第２実施形態の情報記録再生装置１Ａでは、上記のように記録媒体２Ａに記録された音声データは１／１０に圧縮された音声データであり、ピックアップ４は、記録媒体２Ａに記録された圧縮音声データを通常の読出し速度にて読み出すとともに、情報信号処理部１１Ａ、Ｄ／Ａ変換器１３及び出力部１４は、メモリ１２に書き込まれた圧縮音声データは通常の速度で出力する。
【００８３】
また、第２実施形態は、１／１０に圧縮された音声データを伸長された音声データとした場合に３０秒分相当となる圧縮音声データを蓄積可能なメモリ１２を搭載しており、情報信号処理部１１Ａにて１／１０に圧縮された音声データを伸長処理している間は、メモリ１２から音声データの読み出しを停止し、伸長完了後にメモリ１２から音声データを読み出す。
【００８４】
さらに、第２実施形態は、図６に示すようにメモリ１２に、伸長された場合に３０秒分相当となる圧縮音声データが蓄積された後に情報信号処理部１１Ａにて圧縮音声データを読み出すようにしている。よって、第２実施形態では、メモリ１２に圧縮音声データを書き込みながら、その書き込まれた圧縮音声データを読み出すという動作はしない。
【００８５】
図６は、上記した図２と同様の図式となっている。実際に出力部１４から音声出力される伸長された音声データ（以下、伸長音声データと称して説明する）Ｄ１と、メモリ１２の圧縮音声データの蓄積量Ｄ２と、ピックアップ４による記録媒体２Ａにおける圧縮音声データの読み出し遷移とその記録位置Ａと、ＨＤ１０に記録される圧縮音声データＤ３の記録遷移を示している。
【００８６】
上記の実際に出力部１４から音声出力される伸長音声データＤ１は、通常の速度（以下１倍速として説明する）にて時間の経過とともに出力される伸長音声データを示している。なお、図中の矢印は、時間が経過する方向を単に模式的に示したものであり、図中左側から右側に向けて時間が経過し、それに伴い実際に音声出力される伸長音声データが変化していることを示している。
【００８７】
メモリ１２の圧縮音声データの蓄積量Ｄ２は、横軸がメモリ１２へ書き込むための読出し経過時間とメモリ１２から出力される出力経過時間とを含む経過時間を示し、縦軸がその経過時間によって変化するメモリ１２に書き込まれた圧縮音声データを伸長音声データとした場合の蓄積量を示している。なお、図中左側から右側に向けて時間が経過していることを示している。
【００８８】
ピックアップ４が読み出している記録媒体２Ａにおける圧縮音声データの読出し位置Ａは、ピックアップ４がメモリ１２へ書き込むために読み出している記録媒体２Ａにおける圧縮音声データの記録位置ＡとＨＤ１０へ記録するために読み出している記録媒体２Ａにおける圧縮音声データの記録位置Ａとを含む記録媒体２Ａの圧縮音声データの読出し位置を示している。なお、図中の矢印は、時間の経過とともに読出し位置が遷移する方向を単に模式的に示したものであり、図中左側から右側に向けて読出し位置が遷移していることを示している。
【００８９】
ＨＤ１０に記録される音声データＤ３の記録遷移は、ピックアップ４が読み出している記録媒体２Ａにおける圧縮音声データの読録位置Ａに対応するようにしてＨＤ１０への記録遷移を示している。つまり、ピックアップ４により読み出された記録媒体２Ａにおける如何なる音声データがＨＤ１０に記録されているかの状況を示している。なお、図中の矢印は、時間の経過とともに記録が遷移する方向を単に模式的に示したものであり、図中左側から右側に向けてＨＤ１０への記録が遷移していることを示している。
【００９０】
なお、説明を分かり易くするために、記録位置Ａを示す時間情報は、圧縮音声データが伸長音声データとされた場合の記録媒体２Ａにおける圧縮音声データの記録位置を示している。
【００９１】
次に、上述した図６における実際に出力部１４から音声出力される伸長音声データＤ１と、メモリ１２の圧縮音声データの蓄積量Ｄ２と、ピックアップ４が読み出している圧縮音声データの記録位置Ａと、ＨＤ１０に記録される圧縮音声データＤ３の記録遷移との関係を図５に示すブロック図を引用しながら説明する。
【００９２】
まず、マイコン１５によりサーボ信号処理回路７を制御してドライバ６によりピックアップ４を記録媒体２Ａにおける１曲目の圧縮音声データの先頭位置に移動させる。そして、通常の読出し速度にて１曲目の圧縮音声データを読み出す。ピックアップ４により１曲目の０：００の記録位置Ａから圧縮音声データの読み出しが始まると、例えば記録媒体２Ａから３秒かけて１曲目の０：００の記録位置Ａから０：３０の記録位置Ａまでの伸長音声データとした場合に３０秒分相当となる圧縮音声データを読み出す。なお、この時、マイコン１５は、出力切替回路８を情報信号処理部１１Ａ側に切り替えており、ＨＤ１０には圧縮音声データが記録されないでメモリ１２に書き込まれる状態にある。なお、上記記録媒体２Ａから圧縮音声データの読出し時間は、マイコン１５に内蔵されたタイマによって計測される。
【００９３】
ここで、記録媒体２Ａに記録された音声データは、１／１０に圧縮された圧縮音声データであるので、３秒間かけて読み出される音声データは伸長音声データとした場合に３０秒分相当となる。したがって、メモリ１２の圧縮音声データの蓄積量はｄ１１に示すように伸長音声データとした場合の３０秒分相当の圧縮音声データが書き込まれることになる。
【００９４】
そして、マイコン１５は、メモリ１２に伸長音声データとした場合に３０秒分相当となる圧縮音声データが書き込まれたとき、一旦メモリ１２に書き込むための圧縮音声データの読出し動作を中断させる。そして、出力切替回路８をＨＤ１０側に切り替える。それと同時にそれまで読み出していた記録媒体２Ａにおける１曲目の圧縮音声データの０：３０の記録位置Ａを示す情報を内蔵メモリに記憶する。
【００９５】
次に、ＨＤ１０に圧縮音声データを記録するための動作に移行する。まず、記録媒体２Ａにおける１曲目の圧縮音声データの０：３０の記録位置Ａにあるピックアップ４を１曲目の圧縮音声データの先頭を示す０：００の記録位置Ａに戻す。そして、その０：００の記録位置Ａから通常の読出し速度にて圧縮音声データを読み出す。つまり、ピックアップ４による圧縮音声データの読み出しは、１曲目の０：３０の記録位置Ａまで行っていたが、その読み出された圧縮音声データは、ＨＤ１０に記録されていない状態にある。マイコン１５は、内蔵されたメモリに予め記憶されている１曲目の０：００の記録位置Ａを示す情報に基づき、その記録位置にピックアップ４を戻して圧縮音声データの読み出しを行わせる。そして、この読み出された圧縮音声データは、メモリ１２に書き込まれることなくＨＤ１０に記録される。一方、このＨＤ１０への記録動作中は、メモリ１２に書き込まれた圧縮音声データが情報信号処理部１１Ａで伸長された後、Ｄ／Ａ変換器１３を介して出力部１４から音声として通常の速度で出力される。
【００９６】
ＨＤ１０への記録動作が開始されたとき、メモリ１２には１曲目の圧縮音声データの０：００の記録位置Ａから０：３０の記録位置Ａまで、伸長音声データとした場合に３０秒分相当となる圧縮音声データが蓄積されている。（メモリ１２の圧縮音声データの蓄積量Ｄ２がｄ１１）。その状態から圧縮音声データを情報信号処理部１１Ａにて間欠的に読み出してメモリ１２の蓄積量が０となる２７秒間（実際に伸長音声データＤ１が音声出力される２７秒間）、ＨＤ１０への記録動作を行う。記録媒体２Ａに記録された圧縮音声データは、１／１０に圧縮された音声データであるので、その２７秒間に、伸長音声データとした場合に２７０秒（４分３０秒）分相当となる圧縮音声データをＨＤ１０に記録することができる。なお、メモリ１２の蓄積量が０になるまでの２７秒は、マイコン１５に内蔵されたタイマによって計測される。また、この２７秒という時間は、メモリ１２の蓄積量が０になる時間としているが、メモリ１２に蓄積された圧縮音声データの情報信号処理部１１Ａ、Ｄ／Ａ変換器１３及び出力部１４による音声出力が完了していない時間としている。すなわち、その音声出力とメモリ１２への次の圧縮音声データの書込みとをオーバーラップさせることにより、メモリ１２の蓄積量を０にしつつ、音声出力を途切れさせない時間としている。
【００９７】
そして、メモリ１２の蓄積量がｄ１２に示すように０になった場合には、ＨＤ１０への記録動作を中断する。そして、ＨＤ１０側に切り替えられていた出力切替回路８を情報信号処理部１１Ａ側に戻すとともにそれまで読み出していた記録媒体２Ａにおける１曲目の音声データの４：３０の記録位置Ａを示す情報を内蔵メモリに記憶する。マイコン１５は、内蔵メモリに記憶されている１曲目の圧縮音声データの０：３０の記録位置Ａを示す情報に基づき、ピックアップ４をその記録位置に戻して、メモリ１２に書き込むための圧縮音声データの読出し動作を再開し、上記と同様に記録媒体２Ａから３秒かけてメモリ１２に３０秒分相当となる圧縮音声データを書き込む。なお、この時、３０秒分相当の伸長音声データが出力部から音声出力されている。
【００９８】
また、マイコン１５は、伸長音声データとした場合に３０秒分相当となる圧縮音声データがメモリ１２に書き込まれた場合、すなわち、メモリ１２への書込みを開始してから３秒経過したときに、一旦メモリ１２に圧縮音声データを書き込むためのピックアップ４による圧縮音声データの読出し動作を中断させる。そして、出力切替回路８を情報信号処理部１１Ａ側からＨＤ１０側に切り替える。また、それまで読み出していた記録媒体２Ａにおける１曲目の１：００の記録位置Ａを示す情報を内蔵メモリに記憶する。そして、ピックアップ４を内蔵メモリに記憶されている４：３０の記録位置Ａを示す情報に基づき、その記録位置にピックアップ４を移動させて、ＨＤ１０に記録するための圧縮音声データの読み出しを再開する。そして、読み出された圧縮音声データがＨＤ１０に記録されるとともに、メモリ１２に書き込まれている圧縮音声データが情報信号処理部１１Ａにより間欠的に読み出される。
【００９９】
上記と同様にして、メモリ１２から圧縮音声データが読み出されて伸長音声データとして音声出力されている２７秒間、ＨＤ１０への圧縮音声データの記録動作が行われる。そして、ＨＤ１０には２７０秒分相当となる圧縮音声データが追加記録されることになり、１曲目の圧縮音声データのＨＤ１０への記録が完了し、続けて２曲目の圧縮音声データの３：４８の記録位置Ａまでが記録される。
【０１００】
なお、内蔵メモリは、上記の第１実施形態と同様にメモリ１２に書き込まれた現時点での圧縮音声データの最終記録位置Ａを示す情報とＨＤ１０に記録された現時点での音声データの最終記録位置Ａを示す情報とが区別されるように記憶されている。
【０１０１】
次いで、メモリ１２の蓄積量が０になると、ＨＤ１０への記録動作を中断して再びメモリ１２に書き込むための圧縮音声データの読出し動作に移行する。まず、ＨＤ１０側に切り替えられていた出力切替回路８を情報信号処理部１１Ａ側に戻すとともに、それまで読み出していた記録媒体２Ａにおける２曲目の音声データの３：４８の記録位置Ａを示す情報を内蔵メモリに記憶する。マイコン１５は、内蔵メモリに記憶されている１曲目の圧縮音声データの１：００の記録位置Ａを示す情報に基づき、ピックアップ４をその記録位置に戻して、メモリ１２に書き込むための圧縮音声データの読出し動作を再開し、上記と同様に記録媒体２Ａから３秒かけてメモリ１２に３０秒分相当となる圧縮音声データを書き込む。
【０１０２】
また、マイコン１５は、メモリ１２に３０秒分相当となる圧縮音声データが書き込まれた場合、すなわち、メモリ１２への書込みを開始してから３秒経過したときに、一旦メモリ１２に圧縮音声データを書き込むためのピックアップ４による圧縮音声データの読出し動作を中断させる。そして、出力切替回路８を情報信号処理部１１Ａ側からＨＤ１０側に切り替える。また、それまで読み出していた記録媒体２Ａにおける１曲目の１：３０の記録位置Ａを示す情報を内蔵メモリに記憶する。そして、ピックアップ４を内蔵メモリに記憶されている２曲目の３：４８の記録位置Ａを示す情報に基づき、その記録位置にピックアップ４を移動させて、ＨＤ１０に記録するための圧縮音声データの読み出しを再開する。そして、読み出された圧縮音声データがＨＤ１０に記録されるとともに、メモリ１２に書き込まれている圧縮音声データが情報信号処理部１１Ａにより間欠的に読み出される。
【０１０３】
そして、ＨＤ１０への記録動作中に操作部１６からの操作指令があった場合には、次のように遷移する。ＨＤ１０への音声データの記録動作を１秒行ったときに、ユーザが操作部１６により例えば、４曲目の圧縮音声データの選択操作をした場合、ＨＤ１０への記録動作を中断させる。
【０１０４】
すなわち、マイコン１５によりサーボ信号処理回路７を制御してドライバ６によりピックアップ４を２曲目の３：５８の記録位置Ａから４曲目の圧縮音声データの先頭位置を示す０：００の記録位置Ａに移動させる。そして、記録媒体２Ａにおける４曲目の圧縮音声データを先頭から読み出す。この場合、メモリ１２に書き込まれていた１曲目の圧縮音声データは、図６におけるメモリ１２の圧縮音声データの蓄積量Ｄ２のｄ１３に示すように破棄し、４曲目の圧縮音声データをピックアップ４により読み出してメモリ１２に書き込む。この際、マイコン１５は、出力切替回路８をＨＤ１０側から情報信号処理部１１Ａ側に切り替える。また、それまで読み出していた記録媒体２Ａにおける２曲目の３：５８の記録位置Ａを示す情報を内蔵メモリに記憶する。また、実際に出力部１４からは、１曲目の１分１秒までの伸長音声データが音声出力されている。
【０１０５】
そして、４曲目の０：００の記録位置Ａから０：３０の記録位置Ａまでピックアップ４により記録媒体２Ａから読み出して、メモリ１２に書き込む。
【０１０６】
メモリ１２には、ｄ１４に示すように３０秒分相当となる圧縮音声データが書き込まれたので、ピックアップ４による音声データの読出し動作を中断させ、ＨＤ１０への記録動作に移行する。まず、出力切替回路８を情報信号処理部１１Ａ側からＨＤ１０側に切り替える。また、それまで読み出していた記録媒体２Ａにおける圧縮音声データの０：３０の記録位置Ａを示す情報を内蔵メモリに記憶する。そして、内蔵メモリに記憶されている２曲目の３：５８の記録位置Ａを示す情報に基づき、ピックアップ４をその記録位置に移動させて、ＨＤ１０に記録するための圧縮音声データの読み出しを再開する。読み出された圧縮音声データがＨＤ１０に記録されるとともに、メモリ１２に書き込まれている圧縮音声データが情報信号処理部１１Ａにより間欠的に読み出される。
【０１０７】
以下、上記と同様の動作を繰り返すことにより、ＨＤ１０への記録動作を終了させることなく、記録媒体２Ａに記録されている圧縮音声データをユーザが自由に選択し、それに応じた動作を行わせることが可能となる。
【０１０８】
図７は本実施形態の読出し及び記録処理を示すフローチャート、図８は図７の処理に継続して実行される処理を示すフローチャートである。
【０１０９】
図７に示すように、まず、メモリ１２に書き込むための記録媒体２Ａにおける所定の音声データの読出しを開始する（ステップＰ１）。例えば、ユーザが記録媒体２Ａを情報記録再生装置１Ａ内に挿入すると、１曲目の音声データの読み出しが始まり、記録媒体２Ａの１曲目の先頭アドレスから３秒かけて圧縮音声データを読み出す（ステップＰ２）。ここで、記録媒体２Ａに記録された圧縮音声データは、１／１０に圧縮された音声データであるので、３秒間かけて読み出される圧縮音声データは伸長音声データとした場合に３０秒分相当となる。したがって、メモリ１２の圧縮音声データの蓄積量は、伸長音声データとした場合の３０秒分相当の圧縮音声データが書き込まれることになる。このようにメモリ１２に３０秒分相当の圧縮音声データが書き込まれるまでステップＳ２〜Ｓ５までの処理を繰り返す。
【０１１０】
３０秒分相当の圧縮音声データがメモリ１２に書き込まれるまでの間、マイコン１５は、操作部１６によりユーザが曲の選択操作、スキャン再生操作、またはランダム再生操作等の操作をしたか否かを判断し（ステップＰ３）、ユーザが上記の操作を行ったとマイコン１５が判断した場合（ステップＰ３：ＹＥＳ）には、メモリ１２に書き込むための圧縮音声データの読出し処理を中断させ、ユーザの操作指令を受けた（ステップＰ４）後、ステップＰ１に戻る。すなわち、それまでのメモリ１２に書き込むための圧縮音声データの読出し処理を中断させるとともに、メモリ１２に書き込まれた圧縮音声データを破棄する。そして、例えば、ユーザの操作指令が曲の選択操作を示すものであった場合には、ピックアップ４を記録媒体２におけるその選択された曲の圧縮音声データの先頭アドレスに移動させる。そして、再びメモリ１２に書き込むために、選択された曲の圧縮音声データの読み出しをその先頭から開始する。また、ステップＰ３でユーザが操作をしていないと判断した場合（ステップＳ３：ＮＯ）には、ステップＰ５に進む。
【０１１１】
マイコン１５は、ステップＰ５において、メモリ１２に伸長音声データとした場合に３０秒分相当となる圧縮音声データが書き込まれたか否か、すなわち、タイマの計測が３秒になったか否かを判断する。伸長音声データとした場合に３０秒相当となる圧縮音声データが書き込まれたと判断した場合（ステップＰ５：ＹＥＳ）には、一旦ピックアップ４によるメモリ１２に書き込むための圧縮音声データの読出し処理を中断させる。そして、記録媒体２Ａから読み出された圧縮音声データのメモリ１２の蓄積量が伸長音声データとした場合に３０秒相当となった時点での最終アドレスを記憶して、ＨＤ１０への記録処理を開始させる（ステップＰ６）。
【０１１２】
その記録処理では、まず、ＨＤ１０に記録するための圧縮音声データの読出し処理を行う（ステップＰ７）。このステップＰ７における記録処理のための圧縮音声データの読出し処理では、出力切替回路８をＨＤ１０側に切り替えて、記録媒体２Ａにおける１曲目の圧縮音声データの先頭アドレスにピックアップ４を戻す。次に、そのアドレスから圧縮音声データの読み出しを行う。その読出し処理により読み出された圧縮音声データはＨＤＤ９によりＨＤ１０に記録される。この記録処理では、上述したように出力切替回路８をＨＤ１０側とすることにより、読み出した圧縮音声データを伸長音声データとして出力部１４から音声出力させずに１曲目から順にＨＤ１０に記録していく。この圧縮音声データの記録処理中は、メモリ１２に書き込まれた圧縮音声データを伸長音声データとして出力部１４から音声出力する。なお、伸長音声データとした場合に３０秒分相当となる圧縮音声データがメモリ１２に書き込まれていない場合（ステップＰ５：ＮＯ）には、ステップＰ２に戻り、３０秒分相当になるまでメモリ１２に書き込むための圧縮音声データの読出し処理を実行する。
【０１１３】
ＨＤ１０への圧縮音声データの記録処理が開始されたとき、メモリ１２には伸長音声データとした場合に３０秒分相当となる圧縮音声データが書き込まれている。記録処理中、メモリ１２に書き込まれた圧縮音声データが伸長音声データとして出力部１４を介して通常の速度で順次音声出力されている。そして、メモリ１２の蓄積量が除々に段階的に減少されて、その蓄積量が０秒分相当になるまでＨＤ１０への記録処理を行うと、２７秒間記録処理を行うことになる。したがって、記録媒体２Ａに記録された圧縮音声データは、１／１０に圧縮された音声データであるので、その２７秒間に伸長音声データとした場合に２７０秒（４分３０秒）分相当の圧縮音声データをＨＤ１０に記録することができる。
【０１１４】
マイコン１５は、ステップＰ７における記録処理のための圧縮音声データの読出し処理が行われている間、ユーザが曲の選択操作、スキャン操作、またはランダム再生操作等の操作を行ったか否かを判断する（ステップＰ８）。そして、ユーザが上記の操作を行ったと判断した場合（ステップＰ８：ＹＥＳ）には、ＨＤ１０への記録処理を中断させ、操作部１６からのユーザの操作指令を受けた（ステップＳ９）後、ステップＰ１に戻る。ステップＰ９では、その記録処理を中断させた時点でメモリ１２に残されている圧縮音声データを破棄し、出力切替回路８を情報信号処理部１１Ａ側に切り替える。また、記録媒体２Ａから読み出された圧縮音声データの記録処理を中断させた時点での最終アドレスを記憶する。そして、ステップＰ１では、例えば、操作部１６からの操作指令が曲の選択操作を示すものであった場合には、その選択された曲の圧縮音声データの先頭アドレスにピックアップ４を移動させて、メモリ１２に書き込むための圧縮音声データの読出し処理を先頭から開始する。そして、ステップＰ２以降の処理が行われるが、ステップＰ７では、ステップＰ９にてユーザの操作により記録処理を中断させた時点での圧縮音声データの最終アドレスから記録処理のための読出し処理が再開されることになる。また、ステップＰ８でユーザが上記の操作を行っていないと判断した場合（ステップＰ８：ＮＯ）には、ステップＰ１０に進む。
【０１１５】
マイコン１５は、ステップＳ１０において、内蔵したタイマにより記録処理時間の２７秒間が経過したか否かを判断し、経過したと判断した場合（ステップＰ１０：ＹＥＳ）には、ＨＤ１０への記録処理を中断させ、出力切替回路８を情報信号処理部１１Ａ側に切り替えて、メモリ１２に書き込むためのピックアップ４による圧縮音声データの読出し処理を再開する（ステップＰ１１）。つまり、記録処理を中断した時点でのＨＤ１０の最終アドレスを記憶するとともに、ステップＰ６の処理にて記憶されたメモリ１２の最終アドレスにピックアップ４を戻して、メモリ１２に書き込むための圧縮音声データの読出し処理を再開する。また、ステップＰ１０において、記録処理時間の２７秒間が経過していない場合（ステップＰ１０：ＮＯ）には、ステップＰ７に戻り、ＨＤ１０への記録処理を継続する。ステップＰ１１における読出し処理の再開時点でメモリ１２には、音声データが蓄積されておらず、この状態から伸長音声データとした場合に３０秒分相当の蓄積量となるまでピックアップ４による圧縮音声データの読出し処理を行う（図８のステップＰ１２）。
【０１１６】
そして、ユーザが曲の選択操作等の操作を行ったか否かを再び判断し（ステップＰ１３）、ユーザが操作を行ったと判断した場合（ステップＰ１３：ＹＥＳ）には、メモリ１２に圧縮音声データを書き込むための読出し処理を中断させて、操作部１６からの操作指令を受けた（ステップＰ１４）後、ステップＰ１に戻る。ステップＰ１４では、その記録処理を中断させた時点でメモリ１２に残されている圧縮音声データを破棄し、出力切替回路８を情報信号処理部１１Ａ側に切り替える。そして、例えば、ユーザによる操作が曲の選択操作であった場合には、その選択された曲の先頭アドレスにピックアップ４を移動させて、メモリ１２に書き込むための圧縮音声データの読出し処理を開始する。また、ステップＰ１３でユーザが曲の選択操作等の操作を行っていないと判断した場合（ステップＰ１３：ＮＯ）には、ステップＰ１５に進む。
【０１１７】
このステップＰ１５では、メモリ１２に伸長音声データとした場合に３０秒分相当となる圧縮音声データが書き込まれたか否かを判断し、メモリ１２に３０秒分相当の圧縮音声データが書き込まれたと判断した場合（ステップＰ１５：ＹＥＳ）、メモリ１２に書き込むための音声データの読出し処理を中断させて、ＨＤ１０への記録処理に移行する（ステップＰ１６）。まず、ステップＰ１１の処理にて記憶されたＨＤ１０の最終アドレスにピックアップ４を移動させる。そして、出力切替回路８をＨＤ１０側に切り替えて、記録処理のための圧縮音声データの読出し処理をその最終アドレスから再開させる。そして、最終アドレスから圧縮音声データの読出しが行われ、その読み出された圧縮音声データがＨＤＤ９によりＨＤ１０に記録される（ステップＰ１７）。
【０１１８】
マイコン１５は、ステップＰ１７における記録処理のための圧縮音声データの読出し処理が行われている間、ユーザが曲の選択操作、スキャン操作、またはランダム再生操作等の操作を行ったか否かを再度判断する（ステップＰ１８）。そして、ユーザが上記の操作を行ったと判断した場合（ステップＰ１８：ＹＥＳ）には、ＨＤ１０への記録処理を中断させ、操作部１６からの操作指令を受けた（ステップＰ１９）後、ステップＰ１に戻る。ステップＰ１９では、その記録処理を中断させた時点でメモリ１２に残されている圧縮音声データを破棄し、出力切替回路８を情報信号処理部１１Ａ側に切り替える。また、ＨＤ１０の最終アドレスを記憶する。そして、ステップＰ１では、例えば、操作部１６からの操作指令が曲の選択操作を示すものであった場合には、その選択された曲の圧縮音声データの先頭アドレスにピックアップ４を移動させて、メモリ１２に書き込むための圧縮音声データの読出し処理を先頭アドレスから開始する。そして、ステップＰ２以降の処理が行われるが、ステップＰ７では、ステップＰ１９にてユーザの操作により記録処理を中断させた時点での圧縮音声データの最終アドレスから記録処理のための圧縮音声データの読出し処理が再開されることになる。また、ユーザが上記の操作を行っていないと判断した場合（ステップＰ１８：ＮＯ）には、ステップＳ２０に進む。
【０１１９】
そして、マイコン１５は、ステップＰ２０で読出し及び記録処理が終了されたか否かを判断する。例えば、ユーザにより電源ボタンが操作されたか否か、ディスクイジェクトボタンが操作されたか否か、再生停止ボタンが操作されたか否か等の操作指令を操作部１６から受けることにより判断する。終了されたと判断した場合（ステップＰ２０：ＹＥＳ）には、読出し及び記録処理を終了し、終了されていないと判断した場合（ステップＰ２０：ＮＯ）には、ステップＰ２１に進む。
【０１２０】
マイコン１５は、ステップＰ２１において、内蔵したタイマにより記録処理時間の２７秒間が経過したか否かを判断し、経過したと判断した場合（ステップＰ２１：ＹＥＳ）には、ＨＤ１０への記録処理を中断させ、出力切替回路８を情報信号処理部１１Ａ側に切り替えて、メモリ１２に書き込むためのピックアップ４による圧縮音声データの読出し処理を再開する（ステップＰ２２）。つまり、記録処理を中断した時点でのＨＤ１０の最終アドレスを記憶するとともに、ステップＰ１６の処理にて記憶されたメモリ１２の最終アドレスにピックアップ４を戻して、メモリ１２に書き込むための圧縮音声データの読出し処理を再開する。また、ステップＰ２１において、記録処理時間の２７秒間が経過していない場合（ステップＰ２１：ＮＯ）には、ステップＰ１７に戻り、ＨＤ１０への記録処理を継続する。以下、ステップＰ１２に戻り、ステップＰ１２以降の処理を繰り返す。
【０１２１】
このように第２実施形態の情報記録再生装置１Ａによれば、記録媒体２Ａに記録された音声データは圧縮されたデータであり、ピックアップ４は、記録媒体２に記録された圧縮音声データを通常の読出し速度にて読み出すとともに、出力部１６は、記録媒体２に記録された圧縮音声データを通常の速度にて出力することにより、ディスクモータ３を通常の回転速度で動作させることができるため、マイコン１５によるディスクモータ３の回転速度制御が容易になる。その他の構成及び作用は、前記第１実施形態と同様であるので、その説明を省略する。
【０１２２】
なお、第２実施形態では、１／１０に圧縮された音声データを通常の速度にて読み出すようにしたが、これに限らず１／１０に圧縮された音声データを通常の読出し速度より遅い速度（例えば、０．５倍速）で読み出したとしても、通常より５倍の速さでメモリ１２に書き込まれることになる。したがって、情報信号処理部１１Ａにて伸長する時間を適宜設定して、伸長音声データとした場合に３０秒分相当となる圧縮音声データをメモリ１２に蓄積させる。このようにディスクモータ３の出力軸を０．５倍速のＣＬＶで回転させてピックアップ４による読出し速度を０．５倍速とする。
【０１２３】
また、上述した各実施形態では、記録媒体に記録された音声データをＨＤ１０へ記録する場合の例について説明したが、本発明はこれに限定されることなく、ＤＶＤ等の記録媒体に記録された映像データをＨＤ１０へ記録するようにしてもよく、またＨＤ以外の他の記録手段に対して記録するようにしてもよい。さらに、記録媒体に記録された情報は、音声データ及び映像データの双方であってもよく、要するに音声データと映像データのうち少なくとも一方のデータが記録された媒体であればよい。これにより、汎用性の高い装置を提供することができる。
【図面の簡単な説明】
【図１】本発明に係る情報記録再生装置の第１実施形態を示すブロック図である。
【図２】第１実施形態の読出し及び記録動作を示す説明図である。
【図３】第１実施形態の読出し及び記録処理を示すフローチャートである。
【図４】図３の処理の次に実行される処理を示すフローチャートである。
【図５】本願に係る情報記録再生装置の第２実施形態を示すブロック図である。
【図６】第２実施形態の読出し及び記録動作を示す説明図である。
【図７】第２実施形態の読出し及び記録処理を示すフローチャートである。
【図８】図７の処理の次に実行される処理を示すフローチャートである。
【符号の説明】
１，１Ａ  情報記録再生装置
２，２Ａ  記録媒体
３  ディスクモータ
４  ピックアップ
５  ＲＦアンプ
６  ドライバ
７  サーボ信号処理回路
８  出力切替回路
９  ＨＤＤドライブ
１０  ＨＤＤ
１１  音声信号処理回路
１１Ａ  情報信号処理部
１２  メモリ
１３  Ｄ／Ａ変換器
１４  出力部
１５  マイコン
１６  操作部
【図１】
2004199752.tif 000003
【図２】
2004199752.tif 000004
【図３】
2004199752.tif 000005
【図４】
2004199752.tif 000006
【図５】
2004199752.tif 000007
【図６】
2004199752.tif 000008
【図７】
2004199752.tif 000009
【図８】
2004199752.tif 000010